(57)【要約】【課題】シートに着座するユーザの発する不快臭の周囲への拡散をより抑えることを可能にする。【解決手段】ユーザが着座するシートＳｅで用いられるシート空調装置１であって、シートＳｅに設けられる吹出口ＨＯ，ＳＯ，ＢＯ，ＡＯからユーザに対して吹き出させる空調風によって、ユーザを空調風で包み込む個別空調を行う空調ユニット２０と、これらの吹出口ＨＯ，ＳＯ，ＢＯ，ＡＯと、空気を吸い込む吸込口ＦＩ，ＨＩとを備え、吹出口ＨＯ，ＳＯ，ＢＯ，ＡＯは、シートＳｅの座面よりも上部に設けられ、吸込口ＦＩ，ＨＩは、シートＳｅの座面よりも下部に設けられ、吹出口ＨＯ，ＳＯ，ＢＯ，ＡＯは、その吹出口ＨＯ，ＳＯ，ＢＯ，ＡＯが設けられる位置よりも下方に向けて空調風を吹き出す。【選択図】図１
2019202055.tif 000002
【特許請求の範囲】
【請求項１】
ユーザが着座するシートで用いられるシート空調装置であって、
前記シートに設けられる吹出口（ＨＯ，ＳＯ，ＢＯ，ＡＯ）から前記シートに着座する前記ユーザに対して吹き出させる空調風によって、前記シートに着座する前記ユーザを前記空調風で包み込む個別空調を行う空調ユニット（２０）と、
前記吹出口と、
空気を吸い込む吸込口（ＦＩ，ＨＩ）とを備え、
前記吹出口は、前記シートのうちの、前記シートの座面よりも上部に設けられ、
前記吸込口は、前記シートのうちの、前記シートの座面よりも下部に設けられ、
前記吹出口の少なくとも一部の吹出口は、その吹出口が設けられる位置よりも下方に向けて前記空調風を吹き出すシート空調装置。
【請求項２】
前記空調ユニットでの前記個別空調の空調風の流れを切り替えさせることが可能な流れ制御部（１０５）と、
前記シートに着座する前記ユーザの発する不快臭を検出する臭気センサ（４１，４２，４３）とを備え、
前記流れ制御部は、前記臭気センサで前記不快臭を検出する場合に、前記臭気センサで前記不快臭を検出しない場合に比べて、前記個別空調の空調風の流れを、前記シートの幅方向の内側に絞り込むように切り替えさせる請求項１に記載のシート空調装置。
【請求項３】
前記吹出口として、前記シートのうちの、前記シートに着座するユーザの両脇側と背側とに少なくとも設けられるものであり、
前記流れ制御部は、前記臭気センサで前記不快臭を検出する場合に、前記臭気センサで前記不快臭を検出しない場合に比べて、前記両脇側に設けられる前記吹出口（ＳＯ，ＡＯ）から吹き出させる前記空調風の風量を強めさせる一方、前記背側に設けられる前記吹出口（ＢＯ）から吹き出させる前記空調風の風量を弱めさせて、前記個別空調の空調風の流れを、前記シートの幅方向の内側に絞り込むように切り替えさせる請求項２に記載のシート空調装置。
【請求項４】
前記シートに着座する前記ユーザの発する不快臭を検出する臭気センサ（４１，４２，４３）を備えるものであり、
前記吸込口で吸い込む空気が少なくともダクトを介して前記吹出口に導かれるようになっており、
前記ダクトを通過する空気を、前記不快臭を脱臭する脱臭フィルタ（５０）に通させか通させないかの切り替えを行わせる脱臭制御部（１０４）を備え、
前記脱臭制御部は、前記臭気センサで前記不快臭を検出する場合には、前記ダクトを通過する空気を前記脱臭フィルタに通させる一方、その臭気センサで前記不快臭を検出しない場合には、前記ダクトを通過する空気を前記脱臭フィルタに通させない請求項１〜３のいずれか１項に記載のシート空調装置。
【請求項５】
前記吸込口で吸い込む空気が少なくともダクトを介して前記吹出口に導かれるようになっており、
前記ダクトを通過する空気を、不快臭を脱臭する脱臭フィルタ（５０）に通すか通さないかの切り替えを行わせる脱臭制御部（１０４）と、
前記ユーザからの操作入力を受け付ける操作入力部（３０）とを備え、
前記脱臭制御部は、前記操作入力部で受け付ける操作入力に応じて、前記ダクトを通過する空気を前記脱臭フィルタに通すか通さないかの切り替えを行わせる請求項１〜３のいずれか１項に記載のシート空調装置。
【請求項６】
前記吸込口として、前記シートの座面よりも下部で前記シートの上方に向けて開口する吸込口（ＨＩ）に加え、前記シートの座面よりも下部で前記シートの前方に向けて開口する吸込口（ＦＩ）も備える請求項１〜５のいずれか１項に記載のシート空調装置。
【請求項７】
前記シートに着座する前記ユーザの発する不快臭を検出する臭気センサ（４１，４２，４３）を備えるものであり、
その臭気センサには、そのユーザの足臭を前記不快臭として検出する臭気センサ（４３）及びそのユーザの腋臭を前記不快臭として検出する臭気センサ（４２）の少なくともいずれかである蒸れ臭センサ（４２，４３）を含み、
前記蒸れ臭センサで前記不快臭を検出する場合に、前記空調ユニットでの前記個別空調の温度を下げさせる温度制御部（１０３）を備える請求項１〜６のいずれか１項に記載のシート空調装置。
【発明の詳細な説明】
【技術分野】
【０００１】
本開示は、シートごとに設置されるシート空調装置に関するものである。
【背景技術】
【０００２】
特許文献１には、車両の座席（つまり、シート）に着座する運転手が尻から放出するガスを、座部に設けた吸込口で吸引する技術が開示されている。
【先行技術文献】
【特許文献】
【０００３】
【特許文献１】特許第５２７８６６７号公報
【発明の概要】
【発明が解決しようとする課題】
【０００４】
しかしながら、特許文献１に開示の技術では、運転手が尻から放出するガス以外による腋臭，足臭等のような不快臭を防止することは難しく、運転手の周囲へ不快臭を拡散させてしまい、周囲のユーザに不快感を抱かせるおそれがある。また、運転手が尻から放出するガスが吸込口から外れて漏れることで、運転手の周囲へ不快臭を拡散させてしまい、周囲のユーザに不快感を抱かせるおそれがある。
【０００５】
この開示のひとつの目的は、シートに着座するユーザの発する不快臭の周囲への拡散をより抑えることを可能にするシート空調装置を提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示のシート空調装置は、ユーザが着座するシートで用いられるシート空調装置であって、シートに設けられる吹出口（ＨＯ，ＳＯ，ＢＯ，ＡＯ）からシートに着座するユーザに対して吹き出させる空調風によって、シートに着座するユーザを空調風で包み込む個別空調を行う空調ユニット（２０）と、吹出口と、空気を吸い込む吸込口（ＦＩ，ＨＩ）とを備え、吹出口は、シートのうちの、シートの座面よりも上部に設けられ、吸込口は、シートのうちの、シートの座面よりも下部に設けられ、吹出口の少なくとも一部の吹出口は、その吹出口が設けられる位置よりも下方に向けて空調風を吹き出す。
【０００８】
これによれば、シートのうちの、シートの座面よりも上部に設けられる吹出口から、その吹出口が設けられる位置よりも下方に向けて空調風を吹き出すので、シートに着座するユーザが尻から放出するガスの不快臭だけでなく、ユーザの体臭としての不快臭も上方に拡散させずに下方に止めることが可能になる。また、この空調風は、シートに着座するユーザを包み込む個別空調の空調風であるので、ユーザの周囲に拡散することも止めることが可能になる。そして、空気を吸い込む吸込口が、シートのうちの、シートの座面よりも下部に設けられるので、上述したように空調風によってユーザの近辺及び下方に止められる、不快臭を含む空気を、吸い込むことが可能となる。よって、ユーザが尻から放出するガス以外の不快臭も周囲に拡散しにくくすることが可能になる。その結果、シートに着座するユーザの発する不快臭の周囲への拡散をより抑えることが可能になる。
【図面の簡単な説明】
【０００９】
【図１】シート空調装置１の概略的な構成の一例を示す図である。
【図２】空調ユニット２０の概略的な構成の一例を示す図である。
【図３】シートＳｅでの空調風の吹出口の一例を示す図である。
【図４】包み込み空調の一例について説明を行うための図である。
【図５】シートＥＣＵ１０の概略的な構成の一例を示す図である。
【図６】不快臭検出なしの場合と不快臭検出ありの場合とでの個別空調の空調風の流れの変化の一例を示す図である。
【図７】不快臭検出なしの場合と不快臭検出ありの場合とでの個別空調の空調風の流れの変化の一例を示す図である。
【図８】シートＥＣＵ１０での不快臭防止処理の流れの一例を示すフローチャートである。
【発明を実施するための形態】
【００１０】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１１】
（実施形態１）
＜シート空調装置１の概略構成＞
以下、本実施形態について図面を用いて説明する。シート空調装置１は、図１に示すように、座席（つまり、シート）Ｓｅで用いられる。シート空調装置１は、乗用車、バス、鉄道車両、船舶、航空機といった輸送用移動体に設けられるシートＳｅで用いられる構成としてもよいし、劇場といった施設に設けられるシートＳｅで用いられる構成としてもよい。
【００１２】
シート空調装置１は、図１に示すように、シートＥＣＵ１０、空調ユニット２０、シートＨＭＩ３０、臭気センサ４１〜４３、及び脱臭フィルタ５０と、吸込用ダクトＩＤｕ、足部吸込口ＦＩ、臀部吸込口ＨＩ、吹出用ダクトＥＤｕ、頭部吹出口ＨＯ、大腿部吹出口ＡＯ、上半身側部吹出口ＳＯ、及び背側吹出口ＢＯとを備えている。
【００１３】
シートＨＭＩ３０は、シートＳｅに設けられ、そのシートＳｅに着座するユーザからの個別空調の設定，脱臭機能のオンオフの設定等についての操作入力を受け付けたり、そのシートＳｅでの個別空調の作動状態等を表示したりする。個別空調の設定としては、例えば個別空調のオンオフの設定，個別空調の空調風の温度設定，個別空調の空調風の風量設定がある。一例として、シートＨＭＩ３０は、対象とするシートＳｅのアームレストに設けられる構成とすればよい。なお、シートＨＭＩ３０は、シートＳｅの前方等に設けられる構成としてもよい。このシートＨＭＩ３０が操作入力部に相当する。シートＨＭＩ３０は、受け付けた設定についての操作入力の情報（以下、操作情報）をシートＥＣＵ１０に出力する。
【００１４】
臭気センサ４１〜４３は、例えばガス検知センサであって、人が発する不快臭を形成する成分ガスに反応し、この不快臭を検出する。臭気センサ４１は、シートＳｅの座面下部に設けられ、シートＳｅに着座するユーザの尻から放出されるガスによる不快臭を検出する。臭気センサ４２は、シートＳｅのシートバックの、シートＳｅに着座するユーザの腋付近にあたる位置に設けられ、シートＳｅに着座するユーザの腋臭を検出する。臭気センサ４３は、シートＳｅの台座の、シートＳｅに着座するユーザの足付近にあたる位置に設けられ、シートＳｅに着座するユーザの足臭を検出する。臭気センサ４１〜４３は、それぞれが検出対象とする不快臭を形成する成分ガスに反応するように選定することができる。臭気センサ４２，４３が蒸れ臭センサに相当する。
【００１５】
脱臭フィルタ５０は、人が発する不快臭を形成する成分ガスを除去し、人が発する不快臭を脱臭する脱臭フィルタである。脱臭フィルタ５０には、特に人が発する体臭、人の尻から放出するガス等の臭気成分を除去する効果の高いものを用いることが好ましく、例えば素材としては、活性炭、光酸化触媒等を適用することができる。
【００１６】
空調ユニット２０は、シートＳｅに着座するユーザに対する個別の空調（以下、個別空調）を行う。ここで、図２を用いて空調ユニット２０の概略構成について説明を行う。空調ユニット２０は、空気を冷却及び加温する機械的構成である。空調ユニット２０は、図２に示すように、冷凍サイクル装置２００、加熱装置２０５、第１送風機２０６、第２送風機２０７、エアミックスダンパ２０８、脱臭機構２０９、及び個別調節機構２１０を備える。空調ユニット２０は、例えば図１に示すようにシートＳｅの座面下部に設けられる構成とすればよい。
【００１７】
冷凍サイクル装置２００は、冷媒の蒸気圧縮冷凍サイクルを利用して空気を冷却するものであり、圧縮機２０１、凝縮器２０２、減圧部２０３、及び蒸発器２０４を備える。圧縮機２０１、凝縮器２０２、減圧部２０３、及び蒸発器２０４は、冷媒が流れる閉回路であるバイパス管路に設けられる。冷媒としては、Ｒ１３４ａ，Ｒ１５２ａ等の地球温暖化係数の小さいフロンガス又はプロパン等のＨＣガスを用いる構成とすればよい。
【００１８】
圧縮機２０１は、輸送用移動体のバッテリから供給される直流電圧で駆動される電動圧縮機であり、バイパス管路を流れる冷媒を圧縮して冷媒温度を上昇させる。圧縮機２０１は、低圧冷媒を吸引し、この低圧冷媒を加圧して高圧冷媒を吐出する。圧縮機２０１は、圧縮した高圧冷媒を凝縮器２０２に供給する。圧縮機２０１は、コンプレッサとも呼ばれる。
【００１９】
凝縮器２０２は、第１送風機２０６により送風される空気と冷媒との間の熱交換を提供することによって、冷媒の熱を放熱させる。凝縮器２０２は放熱器とも呼ばれる。凝縮器２０２で放熱された冷媒は、減圧部２０３に供給される。減圧部２０３は、凝縮器２０２から供給される冷媒を減圧することにより低温低圧の冷媒を生成し、蒸発器２０４に供給する。
【００２０】
蒸発器２０４は、第２送風機２０７により送風される空気と低温冷媒との間の熱交換を提供することによって、第２送風機２０７により送風される空気を冷却する。これにより、第２送風機２０７により送風される空気が冷風となって吹出用ダクトＥＤｕに供給される。また、蒸発器２０４で冷却された冷媒は、圧縮機２０１に供給される。なお、蒸発器２０４は、吸熱器とも呼ばれる。このように冷媒が冷凍サイクル装置２００を循環しつつ、第２送風機２０７により送風された空気が冷却されて冷風が吹出用ダクトＥＤｕに供給される。
【００２１】
シートＳｅの台座の前面には、シートＳｅの座面よりも下部でシートＳｅの前方に向けて開口する足部吸込口ＦＩが設けられており、シートＳｅに着座するユーザの足元から空気を吸い込む。足部吸込口ＦＩは必ずしも露出していなくてもよく、シートＳｅの表面シートの裏側に設けられていてもよい。また、シートＳｅの座面よりも下部でシートＳｅの上方に設けて開口する臀部吸込口ＨＩが設けられており、シートＳｅに着座するユーザの座面から空気を吸い込む。臀部吸込口ＨＩは、シートＳｅの表面シートの裏側に設けられていればよい。
【００２２】
空調ユニット２０が第２送風機２０７を駆動することにより、シートＳｅ前方の空気及びシートＳｅの座面近辺の空気が足部吸込口ＦＩ及び臀部吸込口ＨＩと吸込用ダクトＩＤｕとを通じて空調ユニット２０に吸い込まれる。
【００２３】
足部吸込口ＦＩ及び臀部吸込口ＨＩで吸い込まれる空気は、吸込用ダクトＩＤｕ、空調ユニット２０、及び吹出用ダクトＥＤｕを介して、頭部吹出口ＨＯ，背側吹出口ＢＯ，上半身側部吹出口ＳＯ，大腿部吹出口ＡＯに導かれるようになっている。言い換えると、吸込口で吸い込む空気が少なくともダクトを介して吹出口に導かれるようになっている。
【００２４】
加熱装置２０５は、ＰＴＣヒータ、熱線式ヒータ等からなる電気ヒータであり、凝縮器２０２を通過した暖気を加熱し、暖気の温度をさらに昇温させる。加熱装置２０５により加熱された温風も吹出用ダクトＥＤｕに供給される。エアミックスダンパ２０８は、冷風を吹出用ダクトＥＤｕに流通させる量と、温風を吹出用ダクトＥＤｕに流通させる量とを、シートＥＣＵ１０の指示に従って調整することで、吹出用ダクトＥＤｕに供給される空調風の温度を調整する。
【００２５】
吹出用ダクトＥＤｕには、図１に示すように、頭部吹出口ＨＯ，背側吹出口ＢＯ，上半身側部吹出口ＳＯ，大腿部吹出口ＡＯが設けられている。空調ユニット２０は、頭部吹出口ＨＯ，背側吹出口ＢＯ，上半身側部吹出口ＳＯ，大腿部吹出口ＡＯから空調風を吹き出すことで、シートＳｅに着座するユーザを空調風で包み込む個別空調（以下、包み込み空調）を行う。
【００２６】
ここで、図３及び図４を用いて、包み込み空調の一例について説明を行う。図４のＯｃがシートＳｅのユーザを示しており、図３及び図４の矢印が空気の流れを示している。なお、図３では、説明の便宜上、足部吸込口ＦＩ及び臀部吸込口ＨＩとこれらの吸込口から吸い込まれる空気の流れとの図示は省略している。
【００２７】
シートＳｅは、図３に示すように、大別すると背もたれ部分であるシートバックＳｂと、座面部分であるＳｃと、ヘッドレストＨｒと、アームレストＡｒと、台座Ｂａとを備える。ヘッドレストＨｒの左右両端には、シートＳｅに着座するユーザの頭部に向けて空気を吹き出す一対の頭部吹出口ＨＯが設けられている。シートバックＳｂの左右両側には、シートＳｅに着座するユーザの上半身に向けて空気を吹き出す一対の上半身側部吹出口ＳＯが設けられている。アームレストＡｒには、シートＳｅに着座するユーザの大腿部に向けて空気を吹き出す一対の大腿部吹出口ＡＯが設けられている。シートバックＳｂの表面シートの裏側には、シートＳｅに着座するユーザの背部全体に向けて空気を吹き出す背側吹出口ＢＯが設けられている。
【００２８】
頭部吹出口ＨＯ、大腿部吹出口ＡＯ、上半身側部吹出口ＳＯ、及び背側吹出口ＢＯには、空調ユニット２０から送風された空気が、吹出用ダクトＥＤｕを通じて供給される。頭部吹出口ＨＯ、大腿部吹出口ＡＯ、上半身側部吹出口ＳＯ、及び背側吹出口ＢＯは、空調風の吹き出し方向がそれぞれの吹出口の位置よりも下方に向くようになっている。例えば、それぞれの吹出口がそれぞれの吹出口の位置よりも下方に向くように設けられることで、空調風の吹き出し方向がそれぞれの吹出口の位置よりも下方に向くようになっている構成とすればよい。他にも、それぞれの吹出口の上流に設けられるルーバ等によって、空調風の吹き出し方向がそれぞれの吹出口の位置よりも下方に向くようになっている構成であってもよい。また、頭部吹出口ＨＯ、大腿部吹出口ＡＯ、上半身側部吹出口ＳＯ、及び背側吹出口ＢＯは、空調風の吹き出し方向がそれぞれの吹出口の位置よりも下方且つシートＳｅの前方に向くようになっていることが、包み込み空調をより容易に実現するためには好ましい。
【００２９】
以上のような頭部吹出口ＨＯ、大腿部吹出口ＡＯ、上半身側部吹出口ＳＯ、及び背側吹出口ＢＯから空調風を、シートＳｅに着座するユーザに向けて吹き出すことで、図４の破線で示すように、シートＳｅに着座するユーザを包み込むような空気の流れが発生する。また、シートＳｅには、図１に示すように、シートＳｅの座面よりも下部に、足部吸込口ＦＩ及び臀部吸込口ＨＩが設けられるので、これらの吸込口からの空気吸い込みにより、シートＳｅの個別空調の空気の流れが周囲に拡散することを制限する。包み込み空調は、ユーザの特定の部位に空気の流れを集中させずにユーザを包み込む空調と言い換えることもできる。
【００３０】
なお、本実施形態では、頭部吹出口ＨＯ、大腿部吹出口ＡＯ、上半身側部吹出口ＳＯ、及び背側吹出口ＢＯをシートＳｅに上述したようにして設ける例を示したが、この例に限らず、シートＳｅに着座するユーザを包み込むような空気の流れを発生させるよう設けられているのであれば、これらの吹出口の一部のみを用いる等、他の設け方であってもよい。
【００３１】
脱臭機構２０９は、シート空調装置１での脱臭フィルタ５０の使用の有無を切り替える機構である。言い換えると、吹出用ダクトＥＤｕ若しくは吸込用ダクトＩＤｕといったダクトを通過する空気を脱臭フィルタ５０に通すか通さないかを切り替える。一例としては、吸込口から吸い込む空気を吹出口まで導く流路として、脱臭フィルタ５０の設けられた流路を通過させるか、脱臭フィルタ５０の設けられていない流路を通過させるかをダンパ等によって切り替える機構とすればよい。他にも、脱臭フィルタ５０を可動とし、吸込口から吸い込む空気を吹出口まで導く流路を脱臭フィルタ５０で遮ったり遮らなかったり切り替える機構としてもよい。
【００３２】
個別調節機構２１０は、頭部吹出口ＨＯ、大腿部吹出口ＡＯ、上半身側部吹出口ＳＯ、及び背側吹出口ＢＯといった各吹出口から吹き出す空調風の風量を、それぞれの吹出口ごとに個別に調節する機構である。一例としては、それぞれの吹出口の上流、且つ、吹出用ダクトＥＤｕからそれぞれの吹出口に分岐する分岐点の下流に設けられるダンパ等を、シートＥＣＵ１０の指示に従って個別に駆動させることで空調風の吹き出し量をそれぞれの吹出口ごとに個別に調節する機構とすればよい。
【００３３】
シートＥＣＵ１０は、プロセッサ、メモリ、Ｉ／Ｏ、これらを接続するバスを備えるマイクロコンピュータを主体として構成され、メモリに記憶された制御プログラムを実行することで個別空調に関する各種の処理を実行する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体（non-transitory tangible storage medium）である。また、非遷移的実体的記憶媒体は、半導体メモリ又は磁気ディスクなどによって実現される。シートＥＣＵ１０はシートＳｅに設けられる。なお、シートＥＣＵ１０での処理の詳細については、以下で述べる。
【００３４】
＜シートＥＣＵ１０の概略構成＞
ここで、図５を用いて、シートＥＣＵ１０の概略構成について説明を行う。シートＥＣＵ１０は、操作情報取得部１０１、センサ情報取得部１０２、空調制御部１０３、脱臭制御部１０４、及び流れ制御部１０５を機能ブロックとして備えている。なお、シートＥＣＵ１０が実行する機能の一部又は全部を、１つ或いは複数のＩＣ等によりハードウェア的に構成してもよい。また、シートＥＣＵ１０が備える機能ブロックの一部又は全部は、プロセッサによるソフトウェアの実行とハードウェア部材の組み合わせによって実現されてもよい。
【００３５】
操作情報取得部１０１は、シートＨＭＩ３０から出力されてくる、シートＨＭＩ３０で受け付けた設定についての操作入力の情報（つまり、操作情報）を取得する。センサ情報取得部１０２は、臭気センサ４１〜４３での不快臭の検出結果を取得する。
【００３６】
空調制御部１０３は、個別空調の全体についての制御を行う。一例としては、個別空調をオンオフしたり、個別空調の温度を調整したり、個別空調の全体の風量を調整したりする制御を行う。個別空調のオンオフについては、冷凍サイクル装置２００、加熱装置２０５、第１送風機２０６、及び第２送風機２０７の動作を開始させたり終了させたりすることで行えばよい。温度の調整については、エアミックスダンパ２０８によって空調ユニット２０での冷風を吹出用ダクトＥＤｕに流通させる量と温風を吹出用ダクトＥＤｕに流通させる量とを調整することで行えばよい。個別空調の全体の風量の調整については、第１送風機２０６，第２送風機２０７の送風量を調整することで行えばよい。
【００３７】
空調制御部１０３は、シートＨＭＩ３０で操作入力を受け付けた個別空調の設定についての操作情報を操作情報取得部１０１で取得する場合には、この操作情報が示す設定に従って、シートＳｅの個別空調についての制御を行う。また、空調制御部１０３は、シートＨＭＩ３０での個別空調の設定に応じた個別空調についての制御以外にも、状況に応じた自動での個別空調についての制御も行う。以下では、空調制御部１０３での、状況に応じた自動での個別空調についての制御についての説明を行う。
【００３８】
空調制御部１０３は、センサ情報取得部１０２で臭気センサ４２若しくは臭気センサ４３から不快臭検出ありを示す検出結果を取得する場合に、この検出結果を取得する前の設定温度よりも個別空調の温度を自動的に下げさせる制御を行う。よって、この空調制御部１０３が温度制御部に相当する。一例としては、この設定温度よりも１〜２℃低めの温度に設定変更することで、個別空調の温度を自動的に下げさせればよい。これによれば、臭気センサ４２で腋臭を不快臭として検出したり、臭気センサ４３で足臭を不快臭として検出したりした場合に、個別空調の温度を下げることでユーザの蒸れを抑えることが可能になる。従って、蒸れによってユーザから発せられる腋臭，足臭を抑えることが可能になり、腋臭，足臭といった不快臭の周囲への拡散を抑えることが可能になる。
【００３９】
脱臭制御部１０４は、空調ユニット２０の脱臭機構２０９を制御して、吹出用ダクトＥＤｕ若しくは吸込用ダクトＩＤｕといったダクトを通過する空気を脱臭フィルタ５０に通すか通さないかの切り替えを行わせる。脱臭制御部１０４は、センサ情報取得部１０２で臭気センサ４１〜４３のいずれかから不快臭検出ありを示す検出結果を取得する場合に、上述のダクトを通過する空気を脱臭フィルタ５０に通させる。一方、臭気センサ４１〜４３のいずれからも不快臭検出ありを示す検出結果を取得しない場合には、上述のダクトを通過する空気を脱臭フィルタ５０に通させない。
【００４０】
つまり、脱臭制御部１０４は、臭気センサ４１〜４３で不快臭を検出する場合には、上述のダクトを通過する空気を脱臭フィルタ５０に通させる一方、臭気センサ４１〜４３で不快臭を検出しない場合には、上述のダクトを通過する空気を脱臭フィルタ５０に通させない。これによれば、シートＳｅに着座するユーザが不快臭を発する場合に、上述のダクトを通過する空気を脱臭フィルタ５０に通させない場合に比べ、この不快臭をより早く軽減することが可能になる。よって、シートＳｅの周囲への不快臭の拡散をより防止することが可能になる。また、臭気センサ４１〜４３で不快臭を検出する場合に自動で脱臭を開始するので、シートＳｅのユーザの自覚がない不快臭であっても、この不快臭をより早く軽減することが可能になる。
【００４１】
また、脱臭制御部１０４は、操作情報取得部１０１でシートＨＭＩ３０から取得する、脱臭機能のオンオフの設定を示す操作情報に応じて、上述のダクトを通過する空気を脱臭フィルタ５０に通させるか通させないかの切り替えを行わせる。一例としては、操作情報取得部１０１でシートＨＭＩ３０から脱臭機能のオンの設定を示す操作情報を取得する場合に、上述のダクトを通過する空気を脱臭フィルタ５０に通させる。この場合、脱臭制御部１０４は、操作情報取得部１０１でシートＨＭＩ３０から脱臭機能のオフの設定を示す操作情報を取得するまで、上述のダクトを通過する空気を脱臭フィルタ５０に通させる構成とすればよい。一方、操作情報取得部１０１でシートＨＭＩ３０から脱臭機能のオンの設定を示す操作情報を取得しない場合には、上述のダクトを通過する空気を脱臭フィルタ５０に通させない。
【００４２】
つまり、シートＨＭＩ３０で受け付ける操作入力に応じて、上述のダクトを通過する空気を脱臭フィルタ５０に通すか通さないかの切り替えを行わせる。これによれば、シートＳｅに着座するユーザが不快臭の脱臭を必要とする場合に、上述のダクトを通過する空気を脱臭フィルタ５０に通させない場合に比べ、この不快臭をより早く軽減することが可能になる。よって、シートＳｅの周囲への不快臭の拡散をより防止することが可能になる。また、シートＨＭＩ３０で受け付ける操作入力に応じて脱臭を開始するので、シートＳｅのユーザの自覚のある不快臭について、この不快臭の発生前から脱臭を開始しておくことで、この不快臭をより早く軽減することが可能になる。
【００４３】
流れ制御部１０５は、センサ情報取得部１０２で臭気センサ４１〜４３のいずれかから不快臭検出ありを示す検出結果を取得する場合に、臭気センサ４１〜４３のいずれからも不快臭検出ありを示す検出結果を取得しない場合に比べて、包み込み空調の空調風の流れを、シートＳｅの幅方向の内側に絞り込むように切り替えさせる。つまり、流れ制御部１０５は、臭気センサ４１〜４３で不快臭を検出する場合には、臭気センサ４１〜４３で不快臭を検出しない場合に比べて、個別空調の空調風の流れを、シートＳｅの幅方向の内側に絞り込むように切り替えさせる。
【００４４】
一例として、流れ制御部１０５は、空調ユニット２０の個別調節機構２１０を制御して、図６に示すように、シートＳｅに着座するユーザの両脇側に設けられる吹出口である上半身側部吹出口ＳＯ，大腿部吹出口ＡＯから吹き出させる空調風の風量を強めさせる一方、シートＳｅに着座するユーザの背側に設けられる吹出口である背側吹出口ＢＯから吹き出させる空調風の風量を弱めさせる。シートＳｅに着座するユーザの両脇側から内側下方に吹き出す空調風を強くする一方、背側から吹き出す空調風を弱めることで、個別空調の空調風の流れは、図７に示すように、シートＳｅの幅方向の内側に絞り込むように切り替わる。言い換えると、シートＳｅに隣席が存在する場合には、個別空調の空調風の流れは、この隣席から離れる方向に切り替わる。これにより、シートＳｅに着座するユーザが不快臭を発する場合に、空調風の流れをシートＳｅの幅方向の内側に絞り込むように切り替えて周囲により拡散させにくくすることが可能になる。
【００４５】
シートＳｅに着座するユーザの頭部の両側に設けられる頭部吹出口ＨＯから吹き出させる空調風については、図６に示すように、臭気センサ４１〜４３で不快臭を検出する場合には、臭気センサ４１〜４３で不快臭を検出しない場合に比べて弱める構成としてもよいし、変化させない構成としてもよい。また、大腿部吹出口ＡＯから吹き出させる空調風については、臭気センサ４１〜４３で不快臭を検出する場合と検出しない場合とで変化させない構成としてもよい。
【００４６】
他にも、流れ制御部１０５は、足部吸込口ＦＩ及び／又は臀部吸込口ＨＩで空気を吸い込む単位時間あたりの量を増加させることで、空調風の流れをシートＳｅの幅方向の内側に絞り込むように切り替える構成としてもよい。この場合、頭部吹出口ＨＯ，背側吹出口ＢＯ，上半身側部吹出口ＳＯ，大腿部吹出口ＡＯといった吹出口から吹き出す空調風は、臭気センサ４１〜４３で不快臭を検出する場合と検出しない場合とで変化させない構成としてもよいし、上述したように変化させる構成としてもよい。
【００４７】
また、流れ制御部１０５は、操作情報取得部１０１でシートＨＭＩ３０から脱臭機能のオンの設定を示す操作情報を取得する場合に、この操作情報を取得する前に比べ、個別空調の空調風の流れを、シートＳｅの幅方向の内側に絞り込むように切り替えさせる構成としてもよい。つまり、シートＨＭＩ３０で受け付ける操作入力に応じて、個別空調の空調風の流れを、シートＳｅの幅方向の内側に絞り込むように切り替えさせる構成としてもよい。これによれば、シートＳｅのユーザの自覚のある不快臭について、この不快臭の発生前から空調風の流れをシートＳｅの幅方向の内側に絞り込むように切り替えておくことで、この不快臭を周囲により拡散させにくくすることが可能になる。
【００４８】
＜シートＥＣＵ１０での不快臭防止処理＞
続いて、図８のフローチャートを用いて、シートＥＣＵ１０での不快臭の防止に関連する処理（以下、不快臭防止処理）の流れの一例について説明を行う。図８のフローチャートは、個別空調を開始したときに開始する構成とすればよい。
【００４９】
まず、ステップＳ１では、操作情報取得部１０１でシートＨＭＩ３０から脱臭機能のオンの設定を示す操作情報を取得する場合、つまり、脱臭機能オンの操作ありの場合（Ｓ１でＹＥＳ）には、ステップＳ５に移る。一方、脱臭機能オンの操作なしの場合（Ｓ１でＮＯ）には、ステップＳ２に移る。
【００５０】
ステップＳ２では、センサ情報取得部１０２で臭気センサ４１〜４３のいずれかから不快臭検出ありを示す検出結果を取得する場合、つまり、不快臭検出ありの場合（Ｓ２でＹＥＳ）には、ステップＳ３に移る。一方、センサ情報取得部１０２で臭気センサ４１〜４３のいずれからも不快臭検出ありを示す検出結果を取得しない場合、つまり、不快臭検出なしの場合（Ｓ２でＮＯ）には、ステップＳ１０に移る。
【００５１】
ステップＳ３では、センサ情報取得部１０２で臭気センサ４２，４３のいずれかから不快臭検出ありを示す検出結果を取得している場合、つまり、腋臭又は足臭検出ありの場合（Ｓ３でＹＥＳ）には、ステップＳ４に移る。一方、センサ情報取得部１０２で臭気センサ４２，４３のいずれからも不快臭検出ありを示す検出結果を取得していない場合、つまり、腋臭及び足臭検出なしの場合（Ｓ３でＮＯ）には、ステップＳ５に移る。
【００５２】
ステップＳ４では、空調制御部１０３が、Ｓ２で不快臭検出ありを示す検出結果を取得する前の設定温度よりも個別空調の温度を自動的に下げさせる制御を行う。ステップＳ５では、脱臭制御部１０４が、吹出用ダクトＥＤｕ若しくは吸込用ダクトＩＤｕといったダクトを通過する空気を脱臭フィルタ５０に通させるように空調ユニット２０の脱臭機構２０９を制御する。つまり、脱臭機能オンに切り替える。ステップＳ６では、流れ制御部１０５が、Ｓ２で不快臭検出ありを示す検出結果を取得する前に比べて、包み込み空調の空調風の流れを、シートＳｅの幅方向の内側に絞り込むように切り替えさせる。
【００５３】
ステップＳ７では、センサ情報取得部１０２で臭気センサ４１〜４３のいずれかから不快臭検出ありを示す検出結果を取得する場合、つまり、不快臭検出ありの場合（Ｓ７でＹＥＳ）には、ステップＳ８に移る。一方、センサ情報取得部１０２で臭気センサ４１〜４３のいずれからも不快臭検出ありを示す検出結果を取得しない場合、つまり、不快臭検出なしの場合（Ｓ７でＮＯ）には、ステップＳ９に移る。
【００５４】
ステップＳ８では、不快臭防止処理の終了タイミングであった場合（Ｓ８でＹＥＳ）には、不快臭防止処理を終了する。一方、不快臭防止処理の終了タイミングでなかった場合（Ｓ８でＮＯ）には、Ｓ７に戻って処理を繰り返す。つまり、不快臭検出なしとなるまでＳ５，Ｓ６で行った切り替えを維持し続ける。不快臭防止処理の終了タイミングの一例としては、個別空調の設定がオフになったこと，シートＥＣＵ１０の電源がオフになったこと等がある。
【００５５】
Ｓ７で不快臭検出なしの場合に行われる処理であるステップＳ９では、Ｓ５，Ｓ６で行った切り替えを切り替え前の状態に戻す復帰処理を行う。詳しくは、脱臭制御部１０４が、吹出用ダクトＥＤｕ若しくは吸込用ダクトＩＤｕといったダクトを通過する空気を脱臭フィルタ５０に通させないように空調ユニット２０の脱臭機構２０９を制御する。つまり、脱臭機能オフに切り替える。また、流れ制御部１０５が、Ｓ６で切り替えた包み込み空調の空調風の流れを、Ｓ２で不快臭検出ありを示す検出結果を取得する前に戻させる。ステップＳ１０では、不快臭防止処理の終了タイミングであった場合（Ｓ１０でＹＥＳ）には、不快臭防止処理を終了する。一方、不快臭防止処理の終了タイミングでなかった場合（Ｓ１０でＮＯ）には、Ｓ１に戻って処理を繰り返す。
【００５６】
なお、Ｓ５の処理とＳ６の処理とは並行して行う構成としてもよいし、順序を入れ替える構成としてもよい。Ｓ１の処理とＳ２〜Ｓ４の処理とについても、順序を入れ替える構成としてもよい。また、図８の例では、Ｓ７で不快臭検出なしの場合にＳ９で復帰処理を行う構成を示したが、Ｓ５及び／又はＳ６の処理を開始してからの経過時間が一定時間に達する場合に、Ｓ９で復帰処理を行う構成としてもよい。
【００５７】
＜実施形態１のまとめ＞
実施形態１の構成によれば、シートＳｅのうちの、シートＳｅの座面よりも上部に設けられる吹出口ＨＯ，ＢＯ，ＳＯ，ＡＯから、その吹出口ＨＯ，ＢＯ，ＳＯ，ＡＯが設けられる位置よりも下方に向けて空調風を吹き出すので、シートＳｅに着座するユーザが尻から放出するガスの不快臭だけでなく、ユーザの体臭としての不快臭も上方に拡散させずに下方に止めることが可能になる。また、この空調風は、シートＳｅに着座するユーザを包み込む個別空調の空調風であるので、ユーザの周囲に拡散することも止めることが可能になる。そして、空気を吸い込む吸込口ＦＩ，ＨＩが、シートＳｅのうちの、シートＳｅの座面よりも下部に設けられるので、上述したように空調風によってユーザの近辺及び下方に止められる、不快臭を含む空気を、吸い込むことが可能となる。よって、ユーザが尻から放出するガス以外の不快臭も周囲に拡散しにくくすることが可能になる。その結果、シートＳｅに着座するユーザの発する不快臭の周囲への拡散をより抑えることが可能になる。
【００５８】
より詳しくは、腋臭については、特に、上半身側部吹出口ＳＯ、背側吹出口ＢＯから空調風を吹き出すことで、より周囲に拡散しにくくすることが可能になる。ユーザが尻から放出するガスの不快臭については、特に、背側吹出口ＢＯ，大腿部吹出口ＡＯから空調風を吹き出したり、臀部吸込口ＨＩで空気を吸い込んだりすることで、より周囲に拡散しにくくすることが可能になる。足臭については、特に、足部吸込口ＦＩで空気を吸い込むことで、より周囲に拡散しにくくすることが可能になる。また、頭部吹出口ＨＯ，上半身側部吹出口ＳＯ，背側吹出口ＢＯ，大腿部吹出口ＡＯといった複数の吹出口から空調風を吹き出すことで、吹出口の位置が多くなる分だけユーザの発する不快臭の周囲への拡散が抑えやすくなる。
【００５９】
他にも、実施形態１の構成によれば、シートＨＭＩ３０で受け付ける操作入力若しくは臭気センサ４１〜４３での検出結果をトリガにして、脱臭機能オンに切り替えたり、包み込み空調の空調風の流れを切り替えたりして、ユーザの発する不快臭の周囲への拡散を抑える場合であっても、包み込み空調は切替前後を通じて継続されている。よって、この切り替えによる作動音がシートＳｅの周囲に伝わりにくく、この作動音によりユーザが不快臭を発したことが周囲に気付かれにくいため、シートＳｅのユーザの快適性が向上する。
【００６０】
さらに、実施形態１の構成によれば、臭気センサ４１〜４３での検出結果をトリガにして、包み込み空調の空調風の流れをシートＳｅの幅方向の内側に絞り込むように切り替えるので、必要に応じて包み込み空調の空調風の流れを切り替えることが可能になる。また、シートＨＭＩ３０で受け付ける操作入力若しくは臭気センサ４１〜４３での検出結果をトリガにして、脱臭機能のオンオフを切り替えるので、必要に応じて脱臭フィルタ５０を使用することが可能になる。従って、脱臭フィルタ５０を常時使用する場合に比べて脱臭フィルタ５０を長持ちさせることが可能になる。
【００６１】
（実施形態２）
実施形態１では、腋臭又は足臭検出ありの場合に、空調制御部１０３が、不快臭検出ありを示す検出結果を取得する前の設定温度よりも個別空調の温度を自動的に下げさせる制御を行う構成を示したが、必ずしもこれに限らない。例えば、腋臭又は足臭の検出ありの場合であっても、空調制御部１０３が、個別空調の温度を下げさせない構成としてもよい。この場合、図８のフローチャートにおいては、Ｓ３，Ｓ４の処理を省略する構成とすればよい。
【００６２】
（実施形態３）
実施形態１では、不快臭検出ありの場合に、流れ制御部１０５が、包み込み空調の空調風の流れを切り替えさせる構成を示したが、必ずしもこれに限らない。例えば、不快臭検出ありかなしかにかかわらず、包み込み空調の空調風の流れを切り替えさせない構成としてもよい。この場合、シート空調装置１から流れ制御部１０５及び個別調節機構２１０を省略してもよい。このような構成であっても、吹出口ＨＯ，ＢＯ，ＳＯ，ＡＯから下方に向けて吹き出す包み込み空調の空調風を、吸込口ＦＩ，ＨＩが吸い込むことで、シートＳｅに着座するユーザの発する不快臭の周囲への拡散をより抑えることが可能になる。
【００６３】
（実施形態４）
実施形態１では、脱臭制御部１０４が脱臭機能のオンオフを切り替えるトリガとして、シートＨＭＩ３０で受け付ける操作入力と臭気センサ４１〜４３での検出結果との両方を用いる構成を示したが、必ずしもこれに限らない。例えば、いずれか一方のみを用いる構成としてもよい。
【００６４】
（実施形態５）
実施形態１では、脱臭制御部１０４が脱臭機能のオンオフを切り替える構成を示したが、必ずしもこれに限らない。例えば、脱臭制御部１０４が脱臭機能のオンオフを切り替えず、脱臭フィルタ５０を個別空調時には常時使用する構成としても構わない。また、シート空調装置１に脱臭フィルタ５０及び脱臭機構２０９を備えない構成としても構わない。これらの構成を採用する場合、図８のフローチャートにおいては、Ｓ１，Ｓ５の処理を省略し、Ｓ２の処理から開始する構成とすればよい。
【００６５】
（実施形態６）
実施形態１では、足部吸込口ＦＩ及び臀部吸込口ＨＩで吸い込まれる空気が、吸込用ダクトＩＤｕ、空調ユニット２０、及び吹出用ダクトＥＤｕを介して、頭部吹出口ＨＯ，背側吹出口ＢＯ，上半身側部吹出口ＳＯ，大腿部吹出口ＡＯに導かれるようになっている構成を示したが、必ずしもこれに限らない。
【００６６】
例えば、足部吸込口ＦＩ及び臀部吸込口ＨＩで吸い込まれる空気は、頭部吹出口ＨＯ，背側吹出口ＢＯ，上半身側部吹出口ＳＯ，大腿部吹出口ＡＯに導かれず、シートＳｅが設けられる輸送用移動体，施設の外部に放出される構成としてもよい。この場合、空調ユニット２０は、足部吸込口ＦＩ及び臀部吸込口ＨＩを通じて空気を吸い込む空気取入口に加えて、シートＳｅ以外に設けられる他の空気取入口を備える構成とすればよい。この場合であっても、このような構成であっても、吹出口ＨＯ，ＢＯ，ＳＯ，ＡＯから下方に向けて吹き出す包み込み空調の空調風を、吸込口ＦＩ，ＨＩが吸い込むことで、シートＳｅに着座するユーザの発する不快臭の周囲への拡散をより抑えることが可能になる。
【００６７】
（実施形態７）
実施形態１では、シートＳｅに足部吸込口ＦＩ及び臀部吸込口ＨＩが設けられる構成を示したが、必ずしもこれに限らない。例えば、シートＳｅに足部吸込口ＦＩ及び臀部吸込口ＨＩのいずれか一方のみが設けられる構成としてもよい。また、シートＳｅの座面よりも下部に設けられるのであれば足部吸込口ＦＩ及び臀部吸込口ＨＩの代わりに、足部吸込口ＦＩ及び臀部吸込口ＨＩと異なる位置に吸込口が設けられる構成としてもよい。なお、足部吸込口ＦＩ及び臀部吸込口ＨＩに加え、足部吸込口ＦＩ及び臀部吸込口ＨＩと異なる位置に吸込口が設けられる構成としてもよい。
【００６８】
（実施形態８）
実施形態１では、シート空調装置１に臭気センサ４１〜４３を備える構成を示したが、必ずしもこれに限らない。例えば、シート空調装置１に臭気センサ４１〜４３のうちの一部のみしか備えない構成としてもよい。
【００６９】
例えば、シート空調装置１に臭気センサ４１〜４３のうちの臭気センサ４２及び／又は４３のみを備え、臭気センサ４２及び／又は４３で不快臭検出ありの場合に、不快臭検出ありを示す検出結果を取得する前の設定温度よりも個別空調の温度を自動的に下げさせる制御を行う一方、不快臭検出ありかなしかにかかわらず包み込み空調の空調風の流れを切り替えさせない構成としてもよい。また、シート空調装置１に臭気センサ４１〜４３を備えず、不快臭検出ありかなしかにかかわらず包み込み空調の空調風の流れを切り替えさせない構成としてもよい。これらの構成を採用する場合であっても、吹出口ＨＯ，ＢＯ，ＳＯ，ＡＯから下方に向けて吹き出す包み込み空調の空調風を、吸込口ＦＩ，ＨＩが吸い込むことで、シートＳｅに着座するユーザの発する不快臭の周囲への拡散をより抑えることが可能になる。
【００７０】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【００７１】
１  シート空調装置、１０  シートＥＣＵ、２０  空調ユニット、３０  シートＨＭＩ（操作入力部）、４１  臭気センサ、４２  臭気センサ（蒸れ臭センサ）、４３  臭気センサ（蒸れ臭センサ）、５０  脱臭フィルタ、１０３  空調制御部（温度制御部）、１０４  脱臭制御部、１０５  流れ制御部、２０９  脱臭機構、２１０  個別調節機構、ＩＤｕ  吸込用ダクト（ダクト）、ＦＩ  足部吸込口（吸込口）、ＨＩ  臀部吸込口（吸込口）、ＥＤｕ  吹出用ダクト（ダクト）、ＨＯ  頭部吹出口（吹出口）、ＡＯ  大腿部吹出口（吹出口）、ＳＯ  上半身側部吹出口（吹出口）、ＢＯ  背側吹出口（吹出口）
【図１】
2019202055.tif 000003
【図２】
2019202055.tif 000004
【図３】
2019202055.tif 000005
【図４】
2019202055.tif 000006
【図５】
2019202055.tif 000007
【図６】
2019202055.tif 000008
【図７】
2019202055.tif 000009
【図８】
2019202055.tif 000010